(57)【要約】    【課題】  デザインニーズに対応できる多種類の外観が簡単に得ることができ、リフォームの際にも容易に意匠替えをなしうる開口部の構造を提供する。    【解決手段】  外壁に形成された開口部の左右両端で垂直にのびる一対の端の縦部材と、前記開口部を左右領域に区画し、かつ垂直にのびる１以上の中の縦部材とを具え、前記端の縦部材は、その表面略中央に上下にのびる断面コ字状の浅い端の縦溝を有するとともに、前記中の縦部材は、その表面略中央に上下にのびる断面コ字状の浅い中の縦溝を有し、前記端の縦溝、および中の縦溝の溝底面に、同じ外観を有する化粧帯体を被着したことを特徴とする。【選択図】  図３
2006077511.tif 000002
【特許請求の範囲】
【請求項１】
外壁に形成された開口部の左右両端で垂直にのびる一対の端の縦部材と、前記開口部を左右領域に区画し、かつ垂直にのびる１以上の中の縦部材とを具え、
前記端の縦部材は、その表面略中央に上下にのびる断面コ字状の浅い端の縦溝を有するとともに、前記中の縦部材は、その表面略中央に上下にのびる断面コ字状の浅い中の縦溝を有し、
前記端の縦溝、および中の縦溝の溝底面に、同じ外観を有する化粧帯体を被着したことを特徴とする開口部の構造。
【請求項２】
前記端の縦部材、または中の縦部材は、化粧モールにより形成されたことを特徴とする請求項１記載の開口部の構造。
【請求項３】
前記端の縦部材、または中の縦部材は、前記開口部に取付けられたサッシ枠の縦枠により形成されたことを特徴とする請求項１記載の開口部の構造。
【請求項４】
前記端の縦部材、または中の縦部材は、前記開口部に装着されたサッシ戸の縦框により形成されたことを特徴とする請求項１記載の開口部の構造。
【請求項５】
前記開口部は、上階の外壁に形成された上の開口部と、下階の外壁に形成され、かつ前記上の開口部に同巾でその下方に配置された下の開口部とを含み、
前記上の開口部の端の縦部材と、下の開口部の端の縦部材とは上下方向に並んで配され、また前記上の開口部の中の縦部材と、下の開口部の中の縦部材とは上下方向に並んで配されたことを特徴とする請求項１〜４のいずれかに記載の開口部の構造。
【請求項６】
前記上の開口部と、下の開口部の間に横長の化粧部が形成され、
この化粧部は、上下の端の縦部材の間を繋ぐ端の繋ぎモールを有するとともに上下の中縦部材の間を繋ぐ中の繋ぎモールを有し、
前記端の繋ぎモール、中の繋ぎモールは、その表面略中央に各々前記端の縦溝、中の縦溝に連続する端の繋ぎ溝、中の繋ぎ溝を有し、
前記端の繋ぎ溝、中の繋ぎ溝には、前記端の縦溝、中の縦溝から連続してのびる化粧帯体が被着されたことを特徴とする請求項５記載の開口部の構造。
【発明の詳細な説明】
【技術分野】
【０００１】
本発明は、多種類の外観意匠が簡単に構成できるため意匠性に優れ、リフォームにおける意匠替えも容易であり、しかも施工性に優れた開口部の構造に関する。
【背景技術】
【０００２】
建築物において外壁の開口部分は、採光、換気等の基本機能に加え、外観意匠を演出する上で重要な要素であり、多様化した外観ニーズに対応して様々な構造の開口部が提案されている。例えば特許文献１では、窓枠に障子、ガラス等を装着した上部窓サッシと、下部窓サッシと、双方の窓サッシの間を閉塞する中間パネルユニットとを具え、その左右両側に装飾用縦部材を設けると共に、この左右の装飾用縦部材間に複数の装飾用縦部材を等間隔で設けることにより、所謂縦連窓を構成するともに縦平行に配置された装飾用縦部材によりアクセントを付与し意匠性向上を図っている。
【０００３】
【特許文献１】特開平１１−２５６９３５号公報
【発明の開示】
【発明が解決しようとする課題】
【０００４】
しかしながら、装飾用縦部材は、その外観の種類が限られているため、前記の如く多様化した意匠ニーズに対応するには限界があり、開口部が単調かつオーソドックスなデザインの域を超えることができなかった。例えばアルミ押出し型材を用いる場合には、カラーアルミを用いて色の選択は可能であるが、生産時に色決めをする必要からカラーバリエーションが限られ、その範囲内で選択して設計するため、デザインの自由性が乏しく開口部の意匠性には限界があった。
【０００５】
また、リフォームに際して開口部周辺にデザインを一新するため前記装飾用縦部材の外観を替える場合、装飾用部材自体新たなものに置き換える必要があり、改修工事が大規模化することからリフォーム工期、コストが大巾に増加していた。また工事を簡略化するため装飾用部材に新たな外観の化粧シートで被覆する工法も選択できるが、仕上がりが不揃いになって外観を損ない易く、更には後付けした化粧シートが端部、継ぎ目などから部分的に剥離する問題がある。
【０００６】
本発明は、前記した開口部の構造が有する問題点を解消し、端の縦部材、中の縦部材に設けた端の縦溝、中の縦溝の溝底面に同じ外観を有する化粧帯体を被着することを基本とし、デザインニーズに対応できる多種類の外観が簡単に得ることができ、リフォームの際にも容易に意匠替えをなしうる開口部の構造の提供を課題としている。
【課題を解決するための手段】
【０００７】
前記目的を達成するために、請求項１記載の発明は、外壁に形成された開口部の左右両端で垂直にのびる一対の端の縦部材と、前記開口部を左右領域に区画し、かつ垂直にのびる１以上の中の縦部材とを具え、前記端の縦部材は、その表面略中央に上下にのびる断面コ字状の浅い端の縦溝を有するとともに、前記中の縦部材は、その表面略中央に上下にのびる断面コ字状の浅い中の縦溝を有し、前記端の縦溝、および中の縦溝の溝底面に、同じ外観を有する化粧帯体を被着したことを特徴とする。
【０００８】
また請求項２に係る発明は、前記端の縦部材、または中の縦部材は、化粧モールにより形成され、請求項３に係る発明では、前記端の縦部材、または中の縦部材は、前記開口部に取付けられたサッシ枠の縦枠により形成され、また請求項４に係る発明は、前記端の縦部材、または中の縦部材は、前記開口部に装着されたサッシ戸の縦框により形成されたことを特徴とする。
【０００９】
また請求項５に係る発明は、前記開口部は、上階の外壁に形成された上の開口部と、下階の外壁に形成され、かつ前記上の開口部に同巾でその下方に配置された下の開口部とを含み、前記上の開口部の端の縦部材と、下の開口部の端の縦部材とは上下方向に並んで配され、また前記上の開口部の中の縦部材と、下の開口部の中の縦部材とは上下方向に並んで配されたことを特徴とし、請求項６に係る発明は、前記上の開口部と、下の開口部の間に横長の化粧部が形成され、この化粧部は、上下の端の縦部材の間を繋ぐ端の繋ぎモールを有するとともに上下の中縦部材の間を繋ぐ中の繋ぎモールを有し、前記端の繋ぎモール、中の繋ぎモールは、その表面略中央に各々前記端の縦溝、中の縦溝に連続する端の繋ぎ溝、中の繋ぎ溝を有し、前記端の繋ぎ溝、中の繋ぎ溝には、前記端の縦溝、中の縦溝から連続してのびる化粧帯体が被着されたことを特徴とする。
【発明の効果】
【００１０】
請求項１に係る発明は、開口部の左右両端に配される端の縦部材に設けられた端の縦溝と、開口部を左右領域に区画する中の縦部材に設けられた中の縦溝とに同じ外観を有する化粧帯体を被着するため、多種類の化粧帯体の中からデザインに適したものを選択することにより多様化したニーズに合う開口部の外観を構成できる。リフォーム時は、化粧帯体の交換により簡単に開口部デザインを大きく替えることが可能で、しかも改修工期、コストを抑制しうる。また化粧帯体は縦溝の溝底面に被着されるため、剥れ難いことから耐久性に優れ、同時に汚れも付着しにくいため良好な外観を長期間維持しうる。さらに溝底面の化粧帯体には、陰影に富んだ高感性が付加されることにより意匠性が向上する。施工においては、化粧帯体が縦溝内で位置決めされるため、位置ズレすることがないとともに取付けの作業性に優れる。
【００１１】
また請求項２に係る発明のように、端、中の縦部材を化粧モールにより形成すると、化粧帯体の必要な箇所にのみ化粧モールを取付けることにより高意匠の開口部を形成でき、特にリフォーム時のデザイン、施工が容易となる。
【００１２】
また請求項３に係る発明のように、端、中の縦部材をサッシ枠の縦枠により形成すると、サッシ部材の押出し成形時に端、中の縦溝を容易に成形でき、かつサッシ枠自体の意匠性が向上し、請求項４に係る発明のように、端、中の縦部材をサッシ戸の縦框により形成すると、框部材の押出し成形時に端、中の縦溝を容易に成形でき、かつサッシ戸自体の意匠性が向上し、さらに縦框は縦溝を設けることより断面係数を増加補強される。
【００１３】
また前記請求項５に係る発明のように構成することにより、縦連窓の開口部が構成されるため、統一感があり高感性な外壁デザインが得られ、前記請求項６に係る発明のように構成することにより、上下の開口部が連係し外壁全体にまとまりのある優れたデザイン性が得られ、特に化粧帯体が連続することにより上下方向の流れと繋がりを感じさせる高意匠が得られ、かつ化粧帯体取付けの作業性が向上し、特にリフォーム時の化粧帯体の取替えを容易とする。
【発明を実施するための最良の形態】
【００１４】
以下、本発明の実施の一形態を、図示例とともに説明する。図１に示す開口部の構造１は、外壁２の開口部３の左右両端に配される端の縦部材Ｆｅと、開口部３を左右領域に区画する中の縦部材Ｆｉと、化粧帯体５とを具える。
【００１５】
前記外壁２は、本形態では、図２、３に示すように、矩形状をなす外周枠２２ａと、この外周枠２２ａの内側に架け渡された縦又は横の補強枠（図示せず）とかなるパネルフレーム２２の両面に、外縁部が前記外周枠２２ａの外周部と略整一に揃うパネル面材２３を貼着した外壁パネル２Ｐにより構築される。
【００１６】
この外壁には、採光、通気、出入などのために前記開口部３が形成される。本形態の開口部３は、図１に示すように、ニ階建て建築物Ａの外壁２に形成され、ニ階部分に配置された上の開口部３ｕと、一階部分に配置された下の開口部３ｄとからなる。なおこの下の開口部３ｄは、上の開口部３ｕと同巾で、かつその下方に配置されている。このように上の開口部３ｕと下の開口部３ｄと上下に並べてを形成すると、複層階の開口が縦連窓を構成して上下に統一感のある外観が得られる。なお同様にして三階以上の開口部を連続した縦連窓とすることもできる。
【００１７】
前記端の縦部材Ｆｅは、開口部３の左右両側に一対が配され、かつ垂直にのびる棒状をなす。またこの端の縦部材Ｆｅは、その表面中央に断面コ字状の端の縦溝４ｅを有する。本形態の端の縦部材Ｆｅは、図２、３に示すように、断面が偏平かつ略矩形状で、表面に端の縦溝４ｅが形成された端の化粧モール６ｅからなり、屋外側、屋内側の双方に取付けられる。
【００１８】
図２、３に示すように、外壁パネル２Ｐの開口部３に臨む外周枠２２ａと、矩形枠状をなす開口フレーム２５の縦フレーム２５ａとは、アダプタ２４を介して固着される。屋外側の端の化粧モール６ｅは、その開口部側が、前記外周枠２２ａに取付けられたサッシ枠７の縦枠７ａに固着されるとともに、外壁側の端部に設けられた側片６ａ先端が外壁パネル２Ｐのパネル面材２３に当接し、これにより端の化粧モール６ｅは外壁２に平行な姿勢で取付けられる。なお前記パネル面材２３とサッシ枠７の縦枠７ａの間は、コーキング材など水密材３０が充填され、端の化粧モール６ｅ裏部における水密が維持されている。また屋内側の端の化粧モール６ｅは、前記外周枠２２ａおよび縦フレーム２５ａに固着される。なお本形態では前記の如く、下の開口部３ｄは、上の開口部３ｕと同巾で、かつその下方に配置されることから、上下の開口部３ｕ、３ｄの端の縦部材Ｆｅは、上下に並んで配置される。
【００１９】
本形態の端の化粧モール６ｅは、断面の巾が例えば８０〜１５０ｍｍ程度、厚さは例えば１５〜４０ｍｍ程度の大きさに形成される。また前記端の縦溝４ｅは、その巾が例えば５０〜１２０ｍｍ程度、深さは例えば３〜１０ｍｍ程度の浅溝として、屋外側、又は屋内側に向く表面の略中央に形成される。また前記端の化粧モール６ｅは、アルミニウムの押出成形品、木粉入りＡＢＳ樹脂押出成形品など用いて形成される。
【００２０】
このように端の化粧モール６ｅを用いて端の縦部材Ｆｅを構成する場合、必要箇所に対してのみ端の縦溝４ｅを簡単に形成でき、特にリフォームでの工事を簡単に行える点で好ましい。また本形態の端の化粧モール６ｅは、外壁２の屋外側、屋内側の双方に設けられるが、何れか片方にのみ設けることもできる。
【００２１】
前記中の縦部材Ｆｉは、開口部３の内側に１以上、本形態では２本が配され、かつ垂直にのびる棒状をなし、前記の如く開口部３を左右の領域に区画する。またこの中の縦部材Ｆｉは、その表面中央に断面コ字状の中の縦溝４ｉを有する。
【００２２】
この中の縦部材Ｆｉにより左右に区画された開口部３は、区画された領域毎にサッシ枠７を取付けることによって分離した小開口３Ｓを形成することができる。本形態では、図１に示すように、上の開口部３ｕは、左右に並んだ同巾の３個の小開口３Ｓが形成される。さらにこの小開口３Ｓは、上下に三分割され、上位には屋内側へ傾斜することにより開閉可能な内倒し窓Ｗｉが設けられ、中位、下位には板ガラスが開閉不可に装着された小フィックス窓Ｗｆ１が設けられている。また下の開口部３ｄにおいて、分離された３個の小開口３Ｓは、各々板ガラスが開閉不可に装着された縦フィックス窓Ｗｆ２としている。
【００２３】
本形態の中の縦部材Ｆｉは、図２、３に示すように、前記端の縦部材Ｆｅよりも小巾の中の化粧モール６ｉからなる。また本形態では、開口部３内に、矩形枠状の開口フレーム２５、２５が左右に配置され、隣接する開口フレーム２５、２５の縦フレーム２５ａ、２５ａがアダプタ２４を介して一体化される。この縦フレーム２５ａ、２５ａの屋外側に取付けられたサッシ枠７の一対の縦枠７ａ、７ａに、前記屋外側の中の化粧モール６ｉが固着される。また屋内側の中の化粧モール６ｉは、前記縦枠７ａ、７ａの屋外側に直接固着される。なお本形態では、前記の如く下の開口部３ｄは、上の開口部３ｕと同巾でその下方に配置され、かつ中の縦部材Ｆｉにより同巾で３個の小開口３Ｓに区画されるものであることから、上下の開口部３ｕ、３ｄの中の化粧モール６ｉは上下に並んで配置される。  
【００２４】
本形態の中の化粧モール６ｉは、断面の巾が例えば３０〜１００ｍｍ程度で端の化粧モール６ｅよりも小巾に形成され、厚さは例えば１５〜４０ｍｍ程度で端の化粧モール６ｅと同厚に形成される。また前記端の縦溝４ｅは、その巾が例えば２０〜７０ｍｍ程度、深さは例えば３〜１０ｍｍ程度の浅溝として、屋外側、又は屋内側に向く表面の略中央に形成される。このように中の化粧モール６ｉにより中の縦部材Ｆｉを形成すると、前記端の化粧モール６ｅと同様に、必要箇所においてのみ中の縦溝４ｉを簡単に形成でき、リフォーム工事が簡単に行える点で好ましい。また前記端の化粧モール６ｅと同様、本形態の中の縦部材Ｆｉは、外壁２の屋外側、屋内側の双方に形成しているが、何れかの側にのみ形成することもできる。
【００２５】
また、中の化粧モール６ｉを設けることなく、前記サッシ枠７の縦枠７ａの屋外側、屋内側を向く面に、中の縦溝４ｉを直接形成し、この縦枠７ａにより中の縦部材Ｆｉを形成することもできる。このときには、サッシ枠７の押出成形工程で同時に中の縦溝４ｉを簡単に形成でき、しかもサッシ枠７自体の意匠性を向上することができる。
【００２６】
また本形態では、図１、４に示すように、上の開口部３ｕと、下の開口部３ｄとの間に化粧部９が形成される。この化粧部９は、前記小開口３Ｓの巾と同巾に形成された３枚の化粧板９ａを、外壁パネル２Ｐのパネル面材２３の表面に左右に並べて被着して形成される。この化粧部９の上下高さは、例えば２５０〜６００ｍｍ程度とし、本形態では、下の開口部３ｄの上端から上の開口部３ｕの下端までのパネル面材２３を連続して覆っている。化粧部９は、本形態では外壁２の屋外側、屋内側双方に形成しているが、屋外側にのみ設けることもある。
【００２７】
なお前記化粧板９ａは、例えばカラーステンレス鋼板、カラーアルミ板、ホーロー鋼板、アクリル板、ポリカーボネート板等が用いられる。このように上の開口部３ｕと、下の開口部３ｄの間に化粧部９を配することによって、外壁２において上下の開口部３ｕ、３ｄが外観上連係されて統一したデザインを構成し、その結果重厚感のある外観が得られる。
【００２８】
また前記化粧部９は、左右両端に垂直にのび、前記化粧板９ａの端部を覆う端の繋ぎモール１０ｅと、化粧部９を左右領域に区画して垂直にのび、前記化粧板９ａ、９ａの連続部分を覆う２本の中の繋ぎモール１０ｉとを有する。そして端の繋ぎモール１０ｅは、前記上下の開口部３ｕ、３ｄの端の縦部材Ｆｅの間を繋ぎ、その表面中央に端の繋ぎ溝１１ｅを有する。また中の繋ぎモール１０ｉは、前記上下の開口部３ｕ、３ｄの中の縦部材Ｆｉの間を繋ぎ、その表面中央に中の繋ぎ溝１１ｉを有する。
【００２９】
また本形態では、端の繋ぎモール１０ｅ、中の繋ぎモール１０ｉは、前記端の化粧モール６ｅ、中の化粧モール６ｉと同一断面で形成され、これにより上下の開口部３ｕ、３ｄに垂直方向に連続した化粧モール材が配設され、その結果外壁２の装飾性が高まる点で好ましい。
【００３０】
前記化粧帯体５は、垂直方向に均一巾に形成された縦長帯状の化粧材であり、端の縦溝４ｅおよび中の縦溝４ｉの溝底面に被着される。端の縦溝４ｅ、中の縦溝４ｉに配される化粧帯体５は、各々の溝巾と略同巾に形成されるが、双方の化粧帯体５の表面は、色、光沢、材質など外観を同一に形成され、その厚さは例えば１〜３ｍｍ程度である。また化粧帯体５は、カラーアルミ薄板、カラーステンレス鋼板、ホーロー鋼板、ポリエチレン、ポリスチレン、ポリプロピレン、ＡＢＳ樹脂、ポリカーボネート、アセタール樹脂その他のプラスチックなどを用いて構成される。
【００３１】
また、化粧帯体５は、ポリイソプレン系、天然ゴム系、ホットメルト型アクリル系、シリコーン系その他の粘着剤、エポキシ樹脂系、シアノアクリレート系その他の接着剤、専用固着金具、ビス・釘その他の固着具等を用いて端の縦溝４ｅ、中の縦溝４ｉの溝底面に被着して取付けられる。
【００３２】
このように、化粧帯体５は多種類の選択枝の中より選んで端、中の縦溝４ｅ、４ｉに取付けることができることから、巾の広い自由なデザインが可能となり、その結果如何なるニーズにも応えることができる。また化粧帯体５の取替により簡単に意匠を変化させることができ、リフォームの際に短い工期でしかも低コストに抑えながら流行性に適合した開口部外観が得られる。さらに化粧帯体５は溝内に配されることから陰影を生じ、その結果重厚感のあるデザインとなる。
【００３３】
前記化粧帯体５は、溝内で被着するため、端部等から剥れるなど外れることがなく、しかも汚れが付着し難い。また化粧帯体５を溝底面に被着して取付けることから、施工に際し熟練を必要とすることがない上、位置ズレを生じることもなく、作業性に優れる。
【００３４】
また本形態では、上下の開口部３ｕ、３ｄの端、中の縦溝４ｅ、４ｉ、さらには化粧部９の端、中の繋ぎ溝１１ｅ、１１ｉを連続して化粧帯体５が被着されるため、開口部３において垂直にのびる垂直な上下方向の流れと繋がりとを感じさせる外観が構成され、統一感とバランスに優れた重厚感ある装飾性が得られる。また化粧帯体５を連続的に取付けできるため、施工性が高く、リフォーム時に意匠変更を簡単になしえる。
【００３５】
図５は、他の実施形態を例示する。この開口部３においては、上の開口部３ｕは前記図１に示す実施形態と同一とし、下の開口部３ｄには、この下の開口部３ｄの全巾と同巾のサッシ枠７が取付けられ、３枚引き違い式のサッシ戸８が装着されている。そして図６に示すように、中央に配されたサッシ戸８Ｔの縦框８ａは、その屋外側表面略中央に中の縦溝４ｉを有し、本形態の中の縦部材Ｆｉは、このサッシ戸８Ｔの縦框８ａで構成されている。また前記中央のサッシ戸８Ｔの左右に配されたサッシ戸８Ｓ、８Ｓの縦框８ａの屋内側にも、同様に中の縦溝４ｉが形成され、屋内側の中の縦部材Ｆｉを構成している。このように、中の縦溝４ｉを有するサッシ戸８の縦框８ａを用いて中の縦部材Ｆｉを形成すると、サッシ材の押出成形により簡単に中の縦溝４ｉを形成できるとともにサッシ戸８自体の外観が向上し、しかも縦框８ａの断面係数が増加して強度が向上する。なお本形態の中の縦溝４ｉは、その溝側壁の奥部に凹部３１が形成され、この凹部３１が化粧帯体５の両側を嵌合支持している。
【００３６】
なお前記中の縦部材Ｆｉと同様にして、左右に配されたサッシ戸８Ｔの開口部３の左右端部側に配された縦框８ａ（図示せず）に端の縦溝４ｅを形成し、この縦框８ａにより端の縦部材Ｆｅを形成することができる。このときもサッシ押出成形により簡単に端の縦溝４ｅを形成でき、外観に優れるとともに縦框８ａの強度を向上させる。
【００３７】
図７に示す実施形態においては、前記端の縦部材Ｆｅは、開口部３に取付けられたサッシ枠７の縦枠７ａにより形成されている。この縦枠７ａは、開口部３に配されたガラスＧを固定する固定片３２ａと、端の縦溝４ｅを有し、かつ前記外壁パネル２Ｐの屋外側のパネル面材２３ｏの表面に取付けられた外側片３２ｂとで断面Ｌ字状に構成された外枠部３２、およびこの外枠部３２の固定片３２ａに連続して取付けられる連続片３３ａと、端の縦溝４ｅを有し、かつ外壁パネル２Ｐの屋外側のパネル面材２３ｉの表面に取付けられた内側片３３ｂとで断面Ｌ字状に構成された内枠部３３を有する。このように、端の縦部材Ｆｅがサッシ枠の縦枠７ａによって形成されると、サッシ材の押出成形工程で同時に端の縦溝４ｅを簡単に形成でき、またサッシ枠７自体の意匠性が向上する点で好ましい。
【００３８】
図８に示す実施形態では、下の開口部３ｄは前記図５に例示した開口部３と同一とし、上の開口部３ｕは、前記左右に並ぶの小開口３Ｓを上下に三分割し、上位、下位に小フィックス窓Ｗｆ１を設け、中位には上方へスライドすることにより開閉可能な上げ窓Ｗｕを取付けている。図９に示す実施形態では、上の開口部３ｕおよび下の開口部３ｄに左右に並んだ３個の小開口３Ｓが形成され、かつ全ての小開口３Ｓに縦フィックス窓Ｗｆ２を設けている。
【００３９】
図１０に示す実施形態では、上の開口部３ｕを腰高窓の大きさとし、かつ左右３個の小開口３Ｓを上下にニ分割して、上位に小フィックス窓Ｗｆ１、下位に上げ窓Ｗｕを配している。また本形態では、上の開口部３ｕの下部の外壁２表面に前記小開口３Ｓと同巾の３枚のガラスパネル２１左右に配し、かつ前記化粧部９の上端は前記ガラスパネル２１の下端に連続している。図１１に示す実施形態では、上の開口部３ｕと化粧部９との間にガラスパネル２１を配し、かつ上の開口部３ｕの３個の小開口３Ｓを縦フィックス窓Ｗｆ２としている。
【図面の簡単な説明】
【００４０】
【図１】本発明の一実施の形態を例示する正面図である。
【図２】そのＡ−Ａ断面図である。
【図３】その斜視図である。
【図４】そのＢ−Ｂ断面図である。
【図５】他の実施形態を例示する正面図である。
【図６】そのＣ−Ｃ断面図である。
【図７】さらに他の実施形態を例示する部分拡大断面図である。
【図８】さらに他の実施形態を例示する正面図である。
【図９】さらに他の実施形態を例示する正面図である。
【図１０】さらに他の実施形態を例示する正面図である。
【図１１】さらに他の実施形態を例示する正面図である。
【符号の説明】
【００４１】
２      外壁
３      開口部
３ｄ    下の開口部
３ｕ    上の開口部
４ｅ    端の縦溝
４ｉ    中の縦溝
５      化粧帯体
６      化粧モール
７      サッシ枠
７ａ    縦枠
８      サッシ戸
８ａ    縦框
９      化粧部
１０ｅ    端の繋ぎモール
１０ｉ    中の繋ぎモール
１１ｅ    端の繋ぎ溝
１１ｉ    中の繋ぎ溝
Ｆｅ    端の縦部材
Ｆｉ    中の縦部材
【図１】
2006077511.tif 000003
【図２】
2006077511.tif 000004
【図３】
2006077511.tif 000005
【図４】
2006077511.tif 000006
【図５】
2006077511.tif 000007
【図６】
2006077511.tif 000008
【図７】
2006077511.tif 000009
【図８】
2006077511.tif 000010
【図９】
2006077511.tif 000011
【図１０】
2006077511.tif 000012
【図１１】
2006077511.tif 000013